(57)【要約】【課題】下からの水圧が大きくなっても、蓋が飛散したり、あるいは蓋と受け枠とが一体となって飛散しないように、蓋の浮上代が十分で、蓋と受け枠との隙間が大きく取れて、下からの水圧を急速に逃がすことができる地表設置鉄蓋を提供することを目的とする。【解決手段】円形の受け枠と、受け枠の上部開口を開閉する蓋と、受け枠と蓋とを連結する蝶番とよりなる地表設置鉄蓋において、蝶番を、下端に係止片を突設させ中間部に突起を設けた円弧部材と、上部に支軸を突設させた屈曲部材とを枢着して構成させ、受け枠内面一側に受け板を棚設し、受け板に長円孔を穿設し、屈曲部材の支軸を蓋の一側裏面に懸垂し、円弧部材の係止片を前記長円孔に通してなる地表設置鉄蓋とした。【選択図】　図１
2004076487.tif 000002
【特許請求の範囲】
【請求項１】
円形の受け枠と、受け枠の上部開口を開閉する蓋と、受け枠と蓋とを連結する蝶番とよりなる地表設置鉄蓋において、蝶番を、下端に係止片を突設させ中間部に突起を設けた円弧部材と、上部に支軸を突設させた屈曲部材とを枢着して構成させ、受け枠内面一側に受け板を棚設し、受け板に長円孔を穿設し、屈曲部材の支軸を蓋の一側裏面に懸垂し、円弧部材の係止片を前記長円孔に通してなる地表設置鉄蓋。
【発明の詳細な説明】
【０００１】
【発明の属する技術分野】
本発明は、地表設置鉄蓋に関し、特に、蓋浮上防止を図った地表設置鉄蓋に関するものである。
【０００２】
【従来の技術】
従来の地表設置鉄蓋の一例は、図１６に示すように、円形の受け枠１０１と、受け枠１０１の上部開口を開閉する蓋１０２と、受け枠１０１と蓋１０２とを連結する蝶番１０３とよりなる。蝶番１０３は略円弧状に形成し、上端に支軸１０４を突設させ、中間部に突起１０５を設け、下端に係止片１０６を突設させている。下からの水圧に対して、蓋１０２は受け枠１０１に対し僅かな浮上Ｌ１　（例えば１０ｍｍ）しかせず、蓋１０２と受け枠１０１の隙間が少なく、下からの水圧を急速に逃がすことが出来ず蝶番１０３が破損し、蓋１０２が飛散したり、あるいは蓋１０２と受け枠１０１とが一体となって飛散することがあった。
【０００３】
突起１０５を蝶番１０３の下部に位置させて蓋１０２の浮上代を稼ごうとすると、開蓋旋回時に受け枠１０１の長円孔１０７に突起１０５が干渉して蓋１０２が動かなくなり、蓋の旋回開蓋、転回開蓋に支障をきたす。
【０００４】
【発明が解決しようとする課題】
下からの水圧が大きくなると、蓋が飛散したり、あるいは蓋と受け枠とが一体となって飛散することがあった。
【０００５】
また、開蓋時の旋回がスムーズでなく、大きな力を必要とした。
【０００６】
【課題を解決するための手段】
そこで、本発明は、上記の事情に鑑み、下からの水圧が大きくなっても、蓋が飛散したり、あるいは蓋と受け枠とが一体となって飛散しないように、蓋の浮上代が十分で、蓋と受け枠との隙間が大きく取れて、下からの水圧を急速に逃がすことができるようにすべく、円形の受け枠と、受け枠の上部開口を開閉する蓋と、受け枠と蓋とを連結する蝶番とよりなる地表設置鉄蓋において、蝶番を、下端に係止片を突設させ中間部に突起を設けた円弧部材と、上部に支軸を突設させた屈曲部材とを枢着して構成させ、受け枠内面一側に受け板を棚設し、受け板に長円孔を穿設し、屈曲部材の支軸を蓋の一側裏面に懸垂し、円弧部材の係止片を前記長円孔に通してなる地表設置鉄蓋とした。
【０００７】
【発明の実施の態様】
本発明を添付する図面に示す具体的な実施例に基づいて、以下詳細に説明する。
【０００８】
本発明の地表設置鉄蓋は、図１に示すように、円形の受け枠１と、受け枠１の上部開口を開閉する蓋２と、受け枠１と蓋２とを連結する蝶番３とよりなる。
【０００９】
蝶番３は、下端に係止片４を突設させ中間凸部に突起１１を設けた円弧部材６と、上部に支軸７を突設させた屈曲部材８とを枢着させて構成する。
【００１０】
受け枠１内面一側に受け板９を棚設し、受け板９に長円孔１０を穿設し、屈曲部材８の支軸７を蓋２の一側裏面に懸垂し、円弧部材６の係止片４を前記長円孔１０に通す。
【００１１】
蝶番３は、下部の概略円弧状の円弧部材６と上部の屈曲部材８とよりなる。
【００１２】
円弧部材６は、図２、図３、図４に示すように、概略円弧状体で、下端の両側に係止片４を突設し、円弧状体の中間凸部に突起１１を設け、上部に屈曲部材８との連結用の孔１２を穿設する。
【００１３】
屈曲部材８は、図５、図６、図７に示すように、上部の両側に支軸７を突設し、下部を前記円弧部材６の上部を受入れる双股状体１４に形成し、そこに孔５を穿設する。
【００１４】
円弧部材６の上部を、屈曲部材８の双股状体１４間に挿入させ、孔１２と孔５にピンを挿入し、あるいはボルトを挿入してナットで螺締して円弧部材６と屈曲部材８とを連結し、円弧部材６に対し屈曲部材８を屈曲可能に連結する。
【００１５】
図１、図８に示すように、受け枠１内面一側に受け板９を棚設し、この受け板９に半径方向を向く長円孔１０を穿設する。この長円孔１０に前記円弧部材６の係止片４を長手方向に挿入し、挿入後９０°回転させると係止片４が受け板９に係合できるように設定する。
【００１６】
次に、屈曲部材８の支軸７の蓋２の裏面で懸垂する構造について、図９、図１０、図１１により述べる。
【００１７】
蓋２裏面の一側に、抜け止めボルト１５の起立壁１６・１６を支軸７の全幅を受入れられるように設定して起立させる。起立壁１６と起立壁１６との間で外周部寄りに水平覆い状の支持壁１７・１７を設け、支軸７を懸垂できるようにする。起立壁１６と支持壁１７との間には支軸７を位置させる凹み１８を形成し、凹み１８内に位置させた支軸７の抜け止めを防止するため、図９に示すよう抜け止めボルト１５を起立壁１７に挿入させてナット１９で螺締する。図１９の場合は抜け止めボルト１５が起立壁１７の片側だけに設けた例が示されているが、必要に応じて両側に設けてもよい。この抜け止めボルト１５を設けることにより、その頭部で支軸７の凹み１８からの脱落を防止する。
【００１８】
受け枠１と蓋２との蝶番３による連結は、先ず、その円弧部材６の係止片４を受け板９の長円孔１０の長手方向に一致するようにして長円孔１０に挿入させ、挿入後９０°回転させて円弧部材６が長円孔１０から抜けないようにする。
【００１９】
次に、屈曲部材８の支軸７を蓋２裏面の凹み１８に挿入する。
【００２０】
続いて、抜け止めボルト１５を起立壁１６に挿入し、ナット１９で螺締する。
【００２１】
上記のようにして組み立てた状態が図１の状態である。
【００２２】
下からの水圧が大きくなっても、本発明では蝶番３が円弧部材６と屈曲部材８との二部材で屈曲可能に設定してあるので、図１２に示すように蓋２は受け枠１に対して大きい隙間Ｌ２　（例えば３０〜４０ｍｍ）で開き、突起１１が受け枠１の内周縁２０に係合し、蓋２が外れることはなく、水圧を急速に逃がすことができ、蓋２が飛散するようなことはない。勿論、蓋２と受け枠１が一体となって飛散することもない。
【００２３】
開蓋する場合、図８に示すように、蓋２のバール孔２１に開閉工具を差し込み、こじり上げて蓋２の食い込みを解除した後、図１３に示すように、蓋２を手前に引き出す。その後、図１４に示すように右または左に蓋２を旋回させて開口部を露出させるのが一般的である。
【００２４】
然るに、蓋２を図１３のように手前に引くと、蝶番３の屈曲部材８が伸びて、蓋２を持ち上げる形になり、蓋２が引き出しやすく、かつ、旋回がスムーズとなる。
【００２５】
図１５に示すように、旋回させずに蓋２を持ち上げ、１８０°転回させて開蓋することもできる。
【００２６】
【発明の効果】
本発明は、上述のように、円形の受け枠と、受け枠の上部開口を開閉する蓋と、受け枠と蓋とを連結する蝶番とよりなる地表設置鉄蓋において、蝶番を、下端に係止片を突設させ中間部に突起を設けた円弧部材と、上部に支軸を突設させた屈曲部材とを枢着して構成させ、受け枠内面一側に受け板を棚設し、受け板に長円孔を穿設し、屈曲部材の支軸を蓋の一側裏面に懸垂し、円弧部材の係止片を前記長円孔に通してなる地表設置鉄蓋であるので、下からの水圧が大きくなっても、蓋が飛散したり、あるいは蓋と受け枠とが一体となって飛散しないように、蓋の浮上代が十分で、蓋と受け枠との隙間が大きく取れて、下からの水圧を急速に逃がすことができる。
【００２７】
また、開蓋時、蓋を引き出すことで、蓋と蝶番が持ち上がり、蓋が旋回しやすくなる。
【図面の簡単な説明】
【図１】本発明の地表設置鉄蓋の具体的な一実施例の受け枠に蝶番を介して蓋で上部開口を閉じた状態の縦断面図である。
【図２】蝶番の円弧部材の正面図である。
【図３】円弧部材の平面図である。
【図４】円弧部材の側面図である。
【図５】蝶番の屈曲部材の正面図である。
【図６】屈曲部材の平面図である。
【図７】屈曲部材の底面図である。
【図８】本発明の地表設置鉄蓋の蓋の一部を切欠いて示した平面図である。
【図９】蓋の屈曲部材の懸垂部の裏面図である。
【図１０】図９の側面図である。
【図１１】図９の平面図である。
【図１２】本発明の下からの水圧が大きくなって蓋が開いた状態の縦断面図である。
【図１３】本発明の開蓋方法で蓋を手前に引いた状態の縦断面図である。
【図１４】本発明の蓋を旋回させて受け枠の上部開口を露出させた状態の縦断面図である。
【図１５】本発明の蓋を転回させて受け枠の上部開口を露出させた状態の縦断面図である。
【図１６】従来の地表設置鉄蓋の蓋が開いた状態の縦断面図である。
【符号の説明】
１…受け枠
２…蓋
３…蝶番
４…係止片
１１…突起
６…円弧部材
７…支軸
８…屈曲部材
９…受け板
１０…長円孔
【図１】
2004076487.tif 000003
【図２】
2004076487.tif 000004
【図３】
2004076487.tif 000005
【図４】
2004076487.tif 000006
【図５】
2004076487.tif 000007
【図６】
2004076487.tif 000008
【図７】
2004076487.tif 000009
【図８】
2004076487.tif 000010
【図９】
2004076487.tif 000011
【図１０】
2004076487.tif 000012
【図１１】
2004076487.tif 000013
【図１２】
2004076487.tif 000014
【図１３】
2004076487.tif 000015
【図１４】
2004076487.tif 000016
【図１５】
2004076487.tif 000017
【図１６】
2004076487.tif 000018